(57)【特許請求の範囲】
【請求項１】
電力線用懸垂装置（２）の懸垂装置取付金具（２ｂ）およびＵクレビス（２ｃ）の点検・取替作業時に該電力線用懸垂装置の碍子連（２ａ）を吊り上げるための電力線用懸垂装置碍子連吊上げ装置（１０）であって、
前記電力線用懸垂装置が取り付けられた送電鉄塔の腕金主材（１ａ）の先端部に前記電力線用懸垂装置碍子連吊上げ装置を設置するための取付台（１１）と、
前記碍子連を吊り上げるための碍子支持装置（１７）と、
前記取付台の上面に取り付けられた、かつ、前記碍子連の縦方向および横方向に沿って移動可能にかつ該碍子連の周方向に沿って同一方向に回転可能に前記碍子支持装置を支持する碍子支持装置支持手段と、
を具備することを特徴とする、電力線用懸垂装置碍子連吊上げ装置。
【請求項２】
前記碍子支持装置支持手段が、
吊り用腕金支持部材（１２ａ）、該吊り用腕金支持部材の外周面に１８０度の間隔で垂設された第１および第２の吊り用腕金（１２Ｌ，１２Ｒ）を備えた吊り用腕金装置（１２）と、
前記吊り用腕金支持部材に上下方向に挿通されたネジ（１３ａ）と、
前記取付台と前記吊り用腕金支持部材との間に設けられた、かつ、該吊り用腕金支持部材側に前記ネジの下端部が挿入された吊り用腕金調整部材（１５）と、
下端部が前記取付台の上面に垂設された、かつ、上端部が前記吊り用腕金調整部材の該取付台側に挿入された逆ネジ（１３ｂ）と、
直列に接続された第１乃至第３の連結部材（１６Ｌ1〜１６Ｌ3）を備えた、かつ、前記第１の吊り用腕金（１２Ｌ）と前記碍子支持装置とを連結させるための第１の連結装置（１６Ｌ）と、
直列に接続された第１乃至第３の他の連結部材（１６Ｒ1〜１６Ｒ3）を備えた、かつ、前記第２の吊り用腕金（１２Ｒ）と前記碍子支持装置とを連結させるための第２の連結装置（１６Ｒ）とを備える、
ことを特徴とする、請求項１記載の電力線用懸垂装置碍子連吊上げ装置。
【請求項３】
前記取付台が４脚のテーブル状とされていることを特徴とする、請求項１または２記載の電力線用懸垂装置碍子連吊上げ装置。
【請求項４】
前記吊り用腕金調整部材の外周面に、２本のハンドル（１５ａ）が１８０度の間隔で垂設されていることを特徴とする、請求項２または３記載の電力線用懸垂装置碍子連吊上げ装置。
【請求項５】
前記吊り用腕金支持部材の内周面に、前記ネジと螺合するネジ溝が形成されており、
前記吊り用腕金調整部材の内面の前記吊り用腕金支持部材側に、前記ネジと螺合するネジ溝が形成されており、
前記吊り用腕金調整部材の内面の前記取付台側に、前記逆ネジと螺合するネジ溝が形成されている、
ことを特徴とする、請求項２乃至４いずれかに記載の電力線用懸垂装置碍子連吊上げ装置。
【請求項６】
前記ネジの上端に取り付けられた、かつ、作業中に前記吊り用腕金支持部材が該ネジから抜けることを防止するためのストッパ（１４）をさらに具備することを特徴とする、請求項２乃至５いずれかに記載の電力線用懸垂装置碍子連吊上げ装置。
【請求項７】
前記第１の連結部材（１６Ｌ1）および前記第１の他の連結部材（１６Ｒ1）が、両端面に凹部が形成された板状とされており、
前記第２の連結部材（１６Ｌ2）および前記第２の他の連結部材（１６Ｒ2）が、棒状とされており、
前記第３の連結部材（１６Ｌ3）および前記第３の他の連結部材（１６Ｒ3）が、一方の端面に凹部が形成された板状とされている、
ことを特徴とする、請求項２乃至６いずれかに記載の電力線用懸垂装置碍子連吊上げ装置。
【発明の詳細な説明】
【技術分野】
【０００１】
本発明は、電力線用懸垂装置の懸垂装置取付金具およびＵクレビスの点検・取替作業時に電力線用懸垂装置の碍子連を吊り上げるのに好適な電力線用懸垂装置碍子連吊上げ装置に関する。
【背景技術】
【０００２】
架空送電線の電力線用懸垂装置２は、図４（ｂ）に示すように、複数個の碍子が垂直方向に連結された碍子連２ａと、送電鉄塔の腕金主材１ａの先端部に取り付けられる懸垂装置取付金具２ｂと、懸垂装置取付金具２ｂと碍子連２ａとを連結させるためのＵクレビス２ｃ（プレート型Ｕクレビス）とを備える。
なお、電力線用懸垂装置２の上部および下部には、架空送電線の碍子を雷撃から保護するための２本のアークホーン３が、碍子連２ａを挟んで左右両側に取り付けられている（図４（ｂ）は、碍子連２ａの上部のみを示す。）。
【０００３】
このような電力線用懸垂装置２では、懸垂装置取付金具２ｂとＵクレビス２ｃとの接触部分が最も磨耗が進展するため、懸垂装置取付金具２ｂおよびＵクレビス２ｃを定期的に点検・取替する必要がある。
【０００４】
従来、懸垂装置取付金具２ｂおよびＵクレビス２ｃの点検・取替は、２本の電線引揚用ワイヤーを取り付けるための水平材を架空送電線と平行となるように腕金主材１ａの先端部に固定し、作業員が架空送電線に宙乗りして２つの電線把持工具を電力線用懸垂装置２を挟んだ左右の架空送電線にそれぞれ取り付けたのち、一端が２つの電線把持工具にそれぞれ固定された２本の電線引揚用ワイヤーを腕金主材１ａに向けて巻き取る相取り工法によって、電力線用懸垂装置２に掛る垂直荷重を無くして行っている。
【０００５】
なお、地線懸垂装置の取替えを対象にしたものとして、以下の（１）〜（３）に示す装置が開示されている。
（１）下記の特許文献１には、送電鉄塔の上部に張られている地線を支持している懸垂クランプの点検作業や交換作業を行うときに作業の安全を確保しながら全体の作業時間も大幅に短縮できるように、腕金に取り付けられた懸垂クランプにより支持されている地線を一時的に吊り上げ、懸垂クランプを取り外すために使用される地線用懸垂クランプの取り外し装置であって、腕金の下面における懸垂クランプの取付位置に対応して腕金の上面に設置される立設脚部と、立設脚部の上部両端から突出した水平アームから成る取付架台とを備え、取付架台の水平アームの各先端に地線の吊上げおよび吊降しが可能な張線器を設けた地線用懸垂クランプ取外し装置が開示されている。
（２）下記の特許文献２には、作業者の負担を軽減しながらスムーズに安定して吊上げ作業を行うことができるように、腕金に固定される台座部と、台座部上に設けられたかつ上端が上下動可能なジャッキと、ジャッキにより上下動可能に支持された水平アームと、水平アームと架空地線とを連結する連結体とを備え、連結体が水平アームの両端に取り付けられ、その下端が懸垂装置を挟むように架空地線に連結され、ジャッキを操作してその上端を上昇させることで架空地線を真上に吊り上げることができるようにした架線吊上げ装置が開示されている。
（３）下記の特許文献３には、作業性の向上を図ることができるとともに剛性を向上することができるように、固定部材と、支柱と、長手方向中央部位を支点として揺動する揺動アームと、揺動アームの一端部と架線とを連結する第１連結体と、揺動アームの他端部と架線とを連結する第２連結体とを備え、２つの連結体の少なくとも一方に揺動アームと架線との間の間隔寸法の調整が可能な調整手段を設けて、調整手段の操作にて架線を吊り上げる架線吊上げ装置であって、作業開始初期においては揺動アームを作業開始初期姿勢に維持させ、作業中においては揺動アームの揺動を許容する姿勢維持機構を設け、揺動アームが、長手方向中央部位が幅広部とされた平板状体であり、幅広部に支点および作業開始初期状態での規制力を受ける受け部を設けた架線吊上げ装置が開示されている。
【先行技術文献】
【特許文献】
【０００６】
【特許文献１】特開２００９−２７８６９３号公報
【特許文献２】特開２００５−１８４９２７号公報
【特許文献３】実用新案登録第３１４０４８６号公報
【発明の概要】
【発明が解決しようとする課題】
【０００７】
しかしながら、上述した相取り工法では、作業工数が多く、多くの作業員や作業時間を要するとともに、チェーンブロックなど重機材の運搬を要するために作業員の負担が多いという問題のほか、電線乗出しなど作業員の危険を伴うという問題があった。
【０００８】
また、上記の特許文献１〜３に開示されているような装置では、以下に示すような問題がある。
（１）電力線用懸垂装置２の懸垂装置取付金具２ｂを取り付ける腕金主材１ａの先端部は、図４（ａ）に示すように２つのＬ型鋼材を背中合わせにボルト接合した合掌構造をしているため、装置を取り付ける際にボルト接合用のボルトおよびナットが邪魔して、ボルト接合用のボルトおよびナットを取り外さないと装置が取り付けられない。
（２）ボルト接合用のボルトおよびナットを取り外すと、腕金主材１ａが荷重に耐えられず変形する。
（３）取付け時に装置をボルトで固定するための穴開を要するが、腕金主材１ａの先端部のＬ型鋼材が大きくないと穴開スペースがないため、装置を取り付けることができない。
（４）架空送電線方向にアークホーン３が延びているため、電線引揚用ワイヤーを取り付けるための水平材が架空送電線と平行になるように固定されるため、アークホーン３が電線引揚用ワイヤーなどの取付けに邪魔となる。
【０００９】
本発明の目的は、電力線用懸垂装置の懸垂装置取付金具およびＵクレビスの点検・取替作業を容易に行うことができる電力線用懸垂装置碍子連吊上げ装置を提供することにある。
【課題を解決するための手段】
【００１０】
本発明の電力線用懸垂装置碍子連吊上げ装置は、電力線用懸垂装置（２）の懸垂装置取付金具（２ｂ）およびＵクレビス（２ｃ）の点検・取替作業時に該電力線用懸垂装置の碍子連（２ａ）を吊り上げるための電力線用懸垂装置碍子連吊上げ装置（１０）であって、前記電力線用懸垂装置が取り付けられた送電鉄塔の腕金主材（１ａ）の先端部に前記電力線用懸垂装置碍子連吊上げ装置を設置するための取付台（１１）と、前記碍子連を吊り上げるための碍子支持装置（１７）と、前記取付台の上面に取り付けられた、かつ、前記碍子連の縦方向および横方向に沿って移動可能にかつ該碍子連の周方向に沿って同一方向に回転可能に前記碍子支持装置を支持する碍子支持装置支持手段とを具備することを特徴とする。
ここで、前記碍子支持装置支持手段が、吊り用腕金支持部材（１２ａ）、該吊り用腕金支持部材の外周面に１８０度の間隔で垂設された第１および第２の吊り用腕金（１２Ｌ，１２Ｒ）を備えた吊り用腕金装置（１２）と、前記吊り用腕金支持部材に上下方向に挿通されたネジ（１３ａ）と、前記取付台と前記吊り用腕金支持部材との間に設けられた、かつ、該吊り用腕金支持部材側に前記ネジの下端部が挿入された吊り用腕金調整部材（１５）と、下端部が前記取付台の上面に垂設された、かつ、上端部が前記吊り用腕金調整部材の該取付台側に挿入された逆ネジ（１３ｂ）と、直列に接続された第１乃至第３の連結部材（１６Ｌ1〜１６Ｌ3）を備えた、かつ、前記第１の吊り用腕金（１２Ｌ）と前記碍子支持装置とを連結させるための第１の連結装置（１６Ｌ）と、直列に接続された第１乃至第３の他の連結部材（１６Ｒ1〜１６Ｒ3）を備えた、かつ、前記第２の吊り用腕金（１２Ｒ）と前記碍子支持装置とを連結させるための第２の連結装置（１６Ｒ）とを備えてもよい。
前記取付台が４脚のテーブル状とされていてもよい。
前記吊り用腕金調整部材の外周面に、２本のハンドル（１５ａ）が１８０度の間隔で垂設されていてもよい。
前記吊り用腕金支持部材の内周面に、前記ネジと螺合するネジ溝が形成されており、前記吊り用腕金調整部材の内面の前記吊り用腕金支持部材側に、前記ネジと螺合するネジ溝が形成されており、前記吊り用腕金調整部材の内面の前記取付台側に、前記逆ネジと螺合するネジ溝が形成されていてもよい。
前記ネジの上端に取り付けられた、かつ、作業中に前記吊り用腕金支持部材が該ネジから抜けることを防止するためのストッパ（１４）をさらに具備してもよい。
前記第１の連結部材（１６Ｌ1）および前記第１の他の連結部材（１６Ｒ1）が、両端面に凹部が形成された板状とされており、前記第２の連結部材（１６Ｌ2）および前記第２の他の連結部材（１６Ｒ2）が、棒状とされており、前記第３の連結部材（１６Ｌ3）および前記第３の他の連結部材（１６Ｒ3）が、一方の端面に凹部が形成された板状とされていてもよい。
【発明の効果】
【００１１】
本発明の電力線用懸垂装置碍子連吊上げ装置は、以下の効果を奏する。
（１）作業時に碍子支持装置によって碍子連を吊り上げることにより、電力線用懸垂装置の懸垂装置取付金具およびＵクレビスの点検・取替作業を容易に行うことができる。
（２）電力線用懸垂装置の点検・取替対象箇所を懸垂装置取付金具およびＵクレビスに限定することで、構造が簡易になるとともに、軽量化できるため運搬・取回しが容易となる。また、作業に必要な吊上げストロークが短くて済むため、作業手間を軽減することができる。
（３）作業員は架空送電線まで移動する必要がないため、移動手間が軽減できるとともに作業の安全性を向上させることができる。
（４）碍子支持装置を碍子連の縦方向および横方向に沿って移動させることができるとともに碍子連の周方向に沿って同一方向に回転させることができるため、容易にアークホーン（障害物）を避けることができるとともに、懸垂装置取付金具の腕金主材の先端部からの取外し作業や、懸垂装置取付金具や連結部のボルト・ナット取外し作業に必要な作業空間を確保することができる。
（４）電力線用懸垂装置碍子連吊上げ装置の腕金主材への取付けに伴う送電鉄塔側の加工が不要である。
【図面の簡単な説明】
【００１２】
【図１】本発明の電力線用懸垂装置碍子連吊上げ装置１０の構成を示す図である。
【図２】図１に示した電力線用懸垂装置碍子連吊上げ装置１０の使用方法について説明するための図である。
【図３】図１に示した電力線用懸垂装置碍子連吊上げ装置１０の使用方法について説明するための図である。
【図４】電力線用懸垂装置２について説明するための図であり、（ａ）は電力線用懸垂装置２が取り付けられる送電鉄塔の腕金主材１ａの先端部付近の構成を示す図、（ｂ）は送電鉄塔の腕金主材１ａの先端部に電力線用懸垂装置２を取り付けた状態を示す図である。
【発明を実施するための形態】
【００１３】
上記の目的を、結合させたときに円環となる半円環状の第１および第２の碍子支持部材で碍子連を挟んで位置させるとともに碍子連の周方向に沿って同一方向に回転可能にすることにより実現した。
【実施例１】
【００１４】
以下、本発明の電力線用懸垂装置碍子連吊上げ装置の実施例について図面を参照して説明する。
本発明の電力線用懸垂装置碍子連吊上げ装置１０（以下、「碍子連吊上げ装置１０」と称する。）は、図１に示すように、取付台１１と、吊り用腕金装置１２と、右ネジ１３ａ（ネジ）と、左ネジ１３ｂ（逆ネジ）と、ストッパ１４と、吊り用腕金調整部材１５と、左側連結装置１６Ｌと、右側連結装置１６Ｒと、碍子支持装置１７とを具備する。
【００１５】
ここで、取付台１１は、図２に示すように送電鉄塔の腕金主材１ａの先端部に載置して、碍子連吊上げ装置１０を腕金主材１ａの先端部に設置するためのものである。
そのため、腕金主材１ａのＬ型鋼材をボルト接合するためのボルトおよびナットを避けて取付台１１を腕金主材１ａの先端部に載置できるように、取付台１１は４脚のテーブル状とされている。
取付台１１の上面の寸法は、たとえば高さ≒２５０ｍｍ、横（図１の紙面で左右方向の長さ）≒９０ｍｍおよび縦≒１４０ｍｍとされている。
取付台１１の上面の中央部には、左ネジ１３ｂが垂設されている。
【００１６】
吊り用腕金装置１２は、円筒状の吊り用腕金支持部材１２ａと、吊り用腕金支持部材１２ａの外周面に１８０度の間隔で垂設された左側および右側吊り用腕金１２Ｌ，１２Ｒを備える。
吊り用腕金支持部材１２ａの内周面には、吊り用腕金支持部材１２ａに上下方向に挿通された右ネジ１３ａと螺合するネジ溝が形成されている。これにより、作業員が吊り用腕金装置１２を回すことにより、右ネジ１３ａを回転軸として左側および右側吊り用腕金１２Ｌ，１２Ｒを回転することができるため、図２および図３を参照して後述するように２本のアークホーン３を避けて電力用懸垂装置２の碍子連２ａの最上段の碍子を碍子支持装置１７によって支持させることができる。
左側および右側吊り用腕金１２Ｌ，１２Ｒの長さは、電力用懸垂装置２の碍子連２ａの各碍子の径の１／２よりも大きくされている。
【００１７】
吊り用腕金調整部材１５は円筒状をしており、取付台１１と吊り用腕金支持部材１２ａとの間に設けられている。
吊り用腕金調整部材１５の外周面には、２本のハンドル１５ａが１８０度の間隔で垂設されている。
吊り用腕金調整部材１５の内面の上面側（吊り用腕金支持部材１２ａ側）には、下端部が吊り用腕金調整部材１５に挿入された右ネジ１３ａと螺合するネジ溝が形成されており、吊り用腕金調整部材１５の内面の下面側（取付台１１側）には、上端部が吊り用腕金調整部材１５に挿入された左ネジ１３ｂと螺合するネジ溝が形成されている。すなわち、吊り用腕金調整部材１５、右ネジ１３ａおよび左ネジ１３ｂはターンバックル構造とされている。
これにより、図２に矢印で示すように作業員がハンドル１５ａを掴んで吊り用腕金調整部材１５を反時計方向に回して右ネジ１３ａおよび左ネジ１３ｂを吊り用腕金調整部材１５内に収納させれば、吊り用腕金装置１２（吊り用腕金支持部材１２ａと左側および右側吊り用腕金１２Ｌ，１２Ｒ）を下げることができる。逆に、図３に矢印で示すように作業員がハンドル１５ａを掴んで吊り用腕金調整部材１５を時計方向に回して右ネジ１３ａおよび左ネジ１３ｂを吊り用腕金調整部材１５から突出させれば、吊り用腕金装置１２を上げることができる。
【００１８】
ストッパ１４は、作業中に吊り用腕金支持部材１２ａが右ネジ１３ａから抜けることを防止するためのものであり、右ネジ１３ａの上端に取り付けられている。
【００１９】
左側連結装置１６Ｌおよび右側連結装置１６Ｒは、碍子連２ａの縦方向および横方向に沿って移動可能に碍子支持装置１７を支持するためのものである。
【００２０】
左側連結装置１６Ｌは、左側吊り用腕金１２Ｌと碍子支持装置１７とを連結させるためのものであり、直列に接続された第１乃至第３の左側連結部材１６Ｌ1〜１６Ｌ3を備える。
第１の左側連結部材１６Ｌ1は、上端面および下端面に上端凹部および下端凹部がそれぞれ形成された板状とされており、第２の左側連結部材１６Ｌ2は棒状とされており、第３の左側連結部材１６Ｌ3は、左端面に凹部が形成された板状とされている。
第１の左側連結部材１６Ｌ1の上端凹部には、左側吊り用腕金１２Ｌの左端部が挿入されている。また、第１の左側連結部材１６Ｌ1の上端凹部の第１の左側連結部材１６Ｌ1の長手方向の中央部には、両端が第１の左側連結部材１６Ｌ1の上端凹部の両側部に固定された上側支持棒が取り付けられており、左側吊り用腕金１２Ｌの左端部は第１の左側連結部材１６Ｌ1の上側支持棒によって回転自在に支持されている。
第１の左側連結部材１６Ｌ1の下端凹部には、第２の左側連結部材１６Ｌ2の上端部が挿入されている。また、第１の左側連結部材１６Ｌ1の下端凹部の第１の左側連結部材１６Ｌ1の長手方向の中央部には、両端が第１の左側連結部材１６Ｌ1の下端凹部の両側部に固定された下側支持棒が取り付けられており、第２の左側連結部材１６Ｌ2の上端部は第１の左側連結部材１６Ｌ1の下側支持棒によって回転自在に支持されている。
第３の左側連結部材１６Ｌ3の凹部には、第２の左側連結部材１６Ｌ2の下端部が挿入されている。また、第３の左側連結部材１６Ｌ3の凹部の第３の左側連結部材１６Ｌ3の長手方向の中央部には、両端が第３の左側連結部材１６Ｌ3の凹部の両側部に固定された支持棒が取り付けられており、第２の左側連結部材１６Ｌ2の下端部は第３の左側連結部材１６Ｌ3の支持棒によって回転自在に支持されている。
第３の左側連結部材１６Ｌ3の右端は、碍子支持装置１７の左端面に固定されている。
【００２１】
右側連結装置１６Ｒは、右側吊り用腕金１２Ｒと碍子支持装置１７とを連結させるためのものであり、直列接続された第１乃至第３の右側連結部材１６Ｒ1〜１６Ｒ3を備える。
第１の右側連結部材１６Ｒ1は、上端面および下端面に上端凹部および下端凹部がそれぞれ形成された板状とされており、第２の右側連結部材１６Ｒ2は棒状とされており、第３の右側連結部材１６Ｒ3は、右端面に凹部が形成された板状とされている。
第１の右側連結部材１６Ｒ1の上端凹部には、右側吊り用腕金１２Ｒの右端部が挿入されている。また、第１の右側連結部材１６Ｒ1の上端凹部の第１の右側連結部材１６Ｒ1の長手方向の中央部には、両端が第１の右側連結部材１６Ｒ1の上端凹部の両側部に固定された上側支持棒が取り付けられており、右側吊り用腕金１２Ｒの右端部は第１の右側連結部材１６Ｒ1の上側支持棒によって回転自在に支持されている。
第１の右側連結部材１６Ｒ1の下端凹部には、第２の右側連結部材１６Ｒ2の上端部が挿入されている。また、第１の右側連結部材１６Ｒ1の下端凹部の第１の右側連結部材１６Ｒ1の長手方向の中央部には、両端が第１の右側連結部材１６Ｒ1の下端凹部の両側部に固定された下側支持棒が取り付けられており、第２の右側連結部材１６Ｒ2の上端部は第１の右側連結部材１６Ｒ1の下側支持棒によって回転自在に支持されている。
第３の右側連結部材１６Ｒ3の凹部には、第２の右側連結部材１６Ｒ2の下端部が挿入されている。また、第３の右側連結部材１６Ｒ3の凹部の第３の右側連結部材１６Ｒ3の長手方向の中央部には、両端が第３の右側連結部材１６Ｒ3の凹部の両側部に固定された支持棒が取り付けられており、第２の右側連結部材１６Ｒ2の下端部は第３の右側連結部材１６Ｒ3の支持棒によって回転自在に支持されている。
第３の右側連結部材１６Ｒ3の左端は、碍子支持装置１７の右端面に固定されている。
【００２２】
碍子支持装置１７は、電力線用懸垂装置２の懸垂装置取付金具２ｂおよびＵクレビス２ｃの点検・取替作業時に電力線用懸垂装置２の碍子連２ａを吊り上げるためのものである。
碍子支持装置１７は、従来の碍子取替器と同様に、固定腕と可動腕とを備え、可動腕の右端部が固定腕の右端部の下面側に取り付けられたボルトに係脱自在に係合して、締付用の蝶ナットによって固定されるものである。
【００２３】
次に、碍子連吊上げ装置１０の使用方法について図２および図３を参照して説明する。
【００２４】
作業員は、図２に矢印で示すように吊り用腕金調整部材１５のハンドル１５ａを掴んで吊り用腕金調整部材１５を反時計方向に回して、吊り用腕金装置１２（吊り用腕金支持部材１２ａと左側および右側吊り用腕金１２Ｌ，１２Ｒ）を下げておくとともに、図１に破線で示すように碍子支持装置１７の可動腕の右端部を固定腕の右端部から離しておく。
【００２５】
作業員は、吊り用腕金装置１２を回して、碍子連吊上げ装置１０内部（吊り用腕金装置１２、左側連結装置１６Ｌ、碍子支持装置１７および右側連結装置１６Ｒによって囲まれた空間内）に左側のアークホーン３を通せる向きに碍子連吊上げ装置１０を向けたのち、取付台１１が送電鉄塔の腕金主材１ａの先端部の上方までくるように碍子連吊上げ装置１０を左側のアークーン３側から移動させる。
【００２６】
その後、作業員は、左側連結装置１６Ｌおよび右側連結装置１６Ｒの曲りなどを調整して碍子支持装置１７が碍子連２ａの最上段の碍子と上から２段目の碍子との間の高さにくるようにしたのち、碍子支持装置１７が電力線用懸垂装置２の碍子連２ａに当たらないように注意しながら、取付台１１を腕金主材１ａの先端部に載置する。
【００２７】
その後、作業員は、碍子支持装置１７の可動腕の右端部を固定腕の右端部の下面側に取り付けられたボルトに係合したのち締付用の蝶ナットによって固定する。
【００２８】
その後、作業員は、図３に矢印で示すように吊り用腕金調整部材１５のハンドル１５ａを掴んで吊り用腕金調整部材１５を時計方向に回して、吊り用腕金装置１２（吊り用腕金支持部材１２ａと左側および右側吊り用腕金１２Ｌ，１２Ｒ）を上げることにより、碍子支持装置１７を上げて（碍子連２ａの縦方向に沿って移動させて）碍子連２ａを吊り上げる。
【００２９】
その後、作業員は、懸垂装置取付金具２ｂおよびＵクレビス２ｃの点検・取替作業を行う。
【００３０】
懸垂装置取付金具２ｂおよびプレート型Ｕクレビス２ｃの点検・取替作業が終了すると、作業員は、吊り用腕金調整部材１５のハンドル１５ａを掴んで吊り用腕金調整部材１５を反時計方向に回して、吊り用腕金装置１２（吊り用腕金支持部材１２ａと左側および右側吊り用腕金１２Ｌ，１２Ｒ）を下げることにより、碍子連２ａを下げるとともに碍子支持装置１７を碍子連２ａの最上段の碍子から離す。
【００３１】
その後、作業員は、碍子支持装置１７の可動腕の右端部を固定腕の右端部から離したのち、吊り用腕金装置１２を回したり左側連結装置１６Ｌおよび右側連結装置１６Ｒの曲りなどを調整したりして碍子支持装置１７の固定腕および可動腕が碍子連２ａおよび２本のアークホーン３に当たらないように注意しながら、取付台１１を腕金主材１ａの先端部から外したのちに碍子連吊上げ装置１０を左側のアークホーン３の先端に向けて移動させて取り外す。
【００３２】
以上の説明では、ターンバックル構造の吊り用腕金調整部材１５、右ネジ１３ａおよび左ネジ１３ｂによって吊り用腕金装置１２（吊り用腕金支持部材１２ａと左側および右側吊り用腕金１２Ｌ，１２Ｒ）を持ち上げるようにしたが、ラチェット構造の吊り用腕金移動持上げ手段を用いて吊り用腕金装置１２を持ち上げるようにしてもよい。
【符号の説明】
【００３３】
１ａ  腕金主材
１ｂ  腕金吊材
２  電力線用懸垂装置
２ａ  碍子連
２ｂ  懸垂装置取付金具
２ｃ  Ｕクレビス
３  アークホーン
１０  碍子連吊上げ装置
１１  取付台
１２  吊り用腕金装置
１２ａ  吊り用腕金支持部材
１２Ｌ，１２Ｒ  左側および右側吊り用腕金
１３ａ  右ネジ
１３ｂ  右ネジ
１４  ストッパ
１５  吊り用腕金調整部材
１５ａ  ハンドル
１６Ｌ，１６Ｒ  左側および右側連結装置
１６Ｌ1〜１６Ｌ3，１６Ｒ1〜１６Ｒ3  第１乃至第３の左側および右側連結部材
１７  碍子支持装置
【図１】
0005283716.tif 000002
【図２】
0005283716.tif 000003
【図３】
0005283716.tif 000004
【図４】
0005283716.tif 000005